(57)【特許請求の範囲】
【請求項１】
一方にガラス基板の挿入用開口をもつ箱状をなし、対向する内壁面に各ガラス基板を厚み方向に間隔を置いて並列保持するための複数の保持溝を有し、上下方向に相互に離間してガラス基板を保持する一対の同一形状からなる上下の支持部材と、
上下の支持部材の内底面に設置され、ガラス基板の端面に当接してガラス基板を固定する圧接固定用部材と、
上下の支持部材で保持されたガラス基板を上下の支持部材と共に被包する包装資材とを具備させたガラス基板の収納容器であって、
圧接固定用部材の基体部が緩衝性材料から形成され、ガラス基板と接触する表面部が非汚染性材料から形成されてなることを特徴とするガラス基板の収納容器。
【請求項２】
圧接固定用部材は、緩衝性材料がゴム系材料であり、非汚染性材料がポリテトラフルオロエチレン系材料であることを特徴とする請求項１のガラス基板の収納容器。
【請求項３】
圧接固定用部材の表面部に複数の溝が形成され、各溝の底部でガラス基板を固定するようにしたことを特徴とする請求項１のガラス基板の収納容器。
【請求項４】
収納容器の内壁面に形成された複数の保持溝が、コの字型の断面形状であることを特徴とする請求項１のガラス基板の収納容器。
【発明の詳細な説明】
【０００１】
【産業上の利用分野】
本発明は、ガラス基板の収納容器に関し、特に電気機能素子等を表裏面に形成させるための液晶用ガラス基板の収納に適した収納容器に関するものである。
【０００２】
【従来の技術】
液晶ディスプレイ等の平面表示体用のガラス基板を移送する場合、移送中の振動による破損や発塵を防ぐため、ガラス基板を収納容器に入れて固定する必要がある。
【０００３】
このような液晶用ガラス基板の表裏面には、電気機能素子等が形成されるため、表面品位や清浄度を保つ必要があり、その表裏面に対して、固定用部材を接触させることは極力避けなければならず、このような見地から例えば図２に示すような収納容器が用いられている。
【０００４】
図２の収納容器１６は、一方にガラス基板１７の挿入用開口をもつ浅い箱状をなし、対向する内壁面に各ガラス基板１７を厚み方向に間隔を置いて並列保持するための複数の保持溝１８を有し、上下方向に相互に離間してガラス基板１７を保持する一対の同一形状からなる上下の支持部材１９、２０と、上下の支持部材１９、２０の内底面に設置され、ガラス基板１７の端面に当接する圧接固定用部材２１、２２と、上下の支持部材１９、２０で保持されたガラス基板１７を上下の支持部材１９、２０と共に被包する包装資材２３とを具備させたものである。
【０００５】
因に上記のような圧接固定用部材２１、２２を、上下の支持部材１９、２０に取り付けるには、圧接固定用部材２１、２２の所定箇所に突起を形成し、支持部材１９、２０の所定箇所に穴を形成して嵌合させたり、接着剤や両面接着テープで接着する方法が採られる。
【０００６】
【発明が解決しようとする課題】
図２の収納容器の保持溝は、ガラス基板を厚み方向に間隔を置いて並列保持するためのものであり、ガラス基板を固定する機能は備えていない。つまりガラス基板は、その端面が圧接固定用部材に当接することによって固定されることになる。
【０００７】
ところでこのような収納容器の圧接固定用部材としては、安価で、繰り返し洗浄することが容易であるという理由からゴム系の緩衝性材料が広く用いられている。
【０００８】
しかしながらゴム系の緩衝性材料は、発塵性が高く、ガラス基板の端面だけに当接しても、結果的に塵垢が飛散して表裏面を汚染することがある。さらにゴム系材料の中には、ガラス基板と接触することによって、その成分が基板に固着し、後工程で基板に電気機能素子を形成させる際、その成分が表裏面にまで回り込んで汚染する可能性もある。
【０００９】
本発明は、上記事情に鑑みなされたものであり、特に液晶ディスプレイ等の平面表示体用のガラス基板を圧接固定用部材を備えた収納容器を用いて移送する場合、ガラス基板の汚染を防止することが可能な収納容器を提供することを目的とするものである。
【００１０】
【課題を解決するための手段】
本発明のガラス基板の収納容器は、一方にガラス基板の挿入用開口をもつ箱状をなし、対向する内壁面に各ガラス基板を厚み方向に間隔を置いて並列保持するための複数の保持溝を有し、上下方向に相互に離間してガラス基板を保持する一対の同一形状からなる上下の支持部材と、上下の支持部材の内底面に設置され、ガラス基板の端面に当接してガラス基板を固定する圧接固定用部材と、上下の支持部材で保持されたガラス基板を上下の支持部材と共に被包する包装資材とを具備させたガラス基板の収納容器であって、圧接固定用部材の基体部が緩衝性材料から形成され、ガラス基板と接触する表面部が非汚染性材料から形成されてなることを特徴とする。
【００１１】
また本発明のガラス基板の収納容器は、圧接固定用部材の緩衝性材料がゴム系材料であり、非汚染性材料がポリテトラフルオロエチレン系材料であることを特徴とする。
【００１２】
また本発明のガラス基板の収納容器は、圧接固定用部材の表面部に複数の溝が形成され、各溝の底部でガラス基板を固定するようにしたことを特徴とする。
【００１３】
さらに本発明のガラス基板の収納容器は、収納容器の内壁面に形成された複数の保持溝が、コの字型の断面形状であることを特徴とする。
【００１４】
【作用】
本発明のガラス基板の収納容器は、圧接固定用部材の基体部が緩衝性材料から形成されているが、ガラス基板と接触する表面部が非汚染性材料から形成されてなるため、これを図２のような収納容器の圧接固定用部材として使用すると、圧接固定用部材に起因するガラス基板の汚染を防止することが可能となる。
【００１５】
また圧接固定用部材の表面部に複数の溝を形成し、各溝の底部でガラス基板を固定すると、以下のような有利点が得られる。
【００１６】
近年、液晶ディスプレイ等の平面表示素子用のガラス基板については、ガラス基板が水平になるように収納容器を設置し、移載機を用いて収納容器から自動的にガラス基板を取り出す方式が導入されるようになってきている。
【００１７】
通常、図２のような収納容器に形成された保持溝の断面形状は、図３に示すような略Ｖ字型の形状を有しているが、上記のような取り出し方式を用いる場合には、図４に示すようなコの字型の形状を有していることが望まれる。この理由は、水平に置かれたガラス基板を取り出す際に、各々のガラス基板の下側の面より少し持ち上げ、保持溝からガラス基板を浮かせた状態で水平方向に取り出すと、保持溝とガラス基板との摩擦による発塵を防げるためである。
【００１８】
しかしながら図４に示すようなコの字型の断面形状を有する保持溝の場合、ガラス基板が厚み方向に自由に動ける距離が大きく、ガラス基板を所定間隔で並列保持するという保持溝本来の機能が低下することになる。このような場合に、ガラス基板と接触する面に複数の保持溝が形成され、ガラス基板を各保持溝の底部で固定することが可能な圧接固定用部材を使用すると、ガラス基板を間隔を置いて固定するという機能を収納容器に持たせることが可能となる。
【００１９】
【実施例】
以下、本発明のガラス基板の収納容器を実施例に基づいて詳細に説明する。
【００２０】
（実施例１）図１は、圧接固定用部材２４の斜視図を示すものであり、基体部２５はゴム系材料から形成され、ガラス基板と接触する表面部２６はポリテトラフルオロエチレン系材料から形成されている。
【００２１】
この圧接固定用部材２４を上述した図２の収納容器１６の圧接固定用部材２１、２２に代え、この収納容器１６の上下の支持部材１９、２０に形成された保持溝１８内に、液晶用ガラス基板１７（３６０×４６５×１．１ｍｍ）を所定枚数収納した後、これを包装資材２３で包被してから外周をバンド（図示せず）で結束した。
【００２２】
次いでこれを通常の輸送方法で所定距離移送した後、収納容器１６を開梱して各ガラス基板１７を取り出し、それらの表裏面の圧接固定用部材２１、２２からの汚染度合いを顕微鏡で観察することによって調べたところ、ほとんど汚染されていなかった。
【００２３】
尚、上記の上下の支持部材１９、２０は、ポリプロピレン等の汎用樹脂を用いて射出成型により作製されたものであり、また保持溝１８は、略Ｖ字型の断面形状を有している。包装資材２３は、上下の支持部材１９、２０で保持されたガラス基板１７全体を包被するものであり、紙または樹脂の袋やフィルム等が使用され、例えばポリエチレンの袋やフィルムが使用可能である。
【００２４】
（実施例２）図５も、圧接固定用部材２７の斜視図を示すものであり、ガラス基板と接触する表面部２８には複数の溝２９が形成されている。
【００２５】
実施例１の圧接固定用部材２１、２２を図５の圧接固定用部材２７に代え、且つ、保持溝１８を、図４に示すようなコの字型の断面形状の保持溝に代え、この収納容器を用いて実施例１と同じ条件で複数枚のガラス基板を収納した後、包装資材で包被してから外周をバンドで結束した。
【００２６】
次いでこれを通常の輸送方法で所定距離移送した後、収納容器を開梱し、各ガラス基板の収納状態を確認したところ、正規の固定位置からほとんどずれていなかった。また各ガラス基板の表裏面の汚染度合いを調べたところ、ほとんど汚染されていなかった。
【００２７】
以上、本発明のガラス基板の収納容器を実施例に基づいて説明したが、ガラス基板が液晶用ガラス基板に限定されるものではないことは言うまでもない。
【００２８】
【発明の効果】
以上のように本発明のガラス基板の収納容器を使用すると、ガラス基板の汚染を防止することが可能となり、また表面部に複数の溝を形成することによって、ガラス基板を所定間隔で並列保持するという機能を収納容器に持たせることが可能となるため、特に液晶用ガラス基板を移送するための収納容器の収納容器として好適である。
【図面の簡単な説明】
【図１】圧接固定用部材の斜視図である。
【図２】本発明の液晶用ガラス基板の収納容器の斜視図である。
【図３】液晶用ガラス基板の収納容器に形成された保持溝の断面図である。
【図４】液晶用ガラス基板の収納容器に形成された保持溝の断面図である。
【図５】圧接固定用部材の斜視図である。
【符号の説明】
１６ 収納容器
１７ ガラス基板
１８ 保持溝
２１、２２、２４、２７ 圧接固定用部材
２３ 包装資材
２５ 基体部
２６、２８ 表面部
２９ 溝
【図１】
0003685327.tif 000002
【図２】
0003685327.tif 000003
【図３】
0003685327.tif 000004
【図４】
0003685327.tif 000005
【図５】
0003685327.tif 000006